(57)【要約】【課題】オプションの透過暗視野照明装置を顕微鏡に装着した状態でも、検鏡者が標本を取り扱い易い顕微鏡、透過暗視野照明装置を提供すること。【解決手段】標本を観察するための対物レンズ９と、透過明視野照明装置１７と、透過明視野照明装置１７の下側または上側に透過暗視野照明装置２５を装着するための装着機構を有するベース部３を備える顕微鏡１。【選択図】図１
2011028108.tif 000002
【特許請求の範囲】
【請求項１】
標本を観察するための対物レンズと、
透過明視野照明装置と、
前記透過明視野照明装置の下側または上側に透過暗視野照明装置を装着するための装着機構を有するベース部を備えることを特徴とする顕微鏡。
【請求項２】
前記ベース部は、当該ベース部に装着した前記透過暗視野照明装置により透過暗視野照明を行う際に、前記透過明視野照明装置を光路外に移動させるための移動機構を有することを特徴とする請求項１に記載の顕微鏡。
【請求項３】
前記透過暗視野照明装置は、前記透過明視野照明装置の下側に装着されることを特徴とする請求項２に記載の顕微鏡。
【請求項４】
前記装着機構は、前記透過暗視野照明装置が装着されない場合、カバー部材が装着可能であることを特徴とする請求項３に記載の顕微鏡。
【請求項５】
請求項１から４のいずれか１項に記載の前記顕微鏡に装着可能であることを特徴とする透過暗視野照明装置。
【発明の詳細な説明】
【技術分野】
【０００１】
本発明は、顕微鏡、透過暗視野照明装置に関するものである。
【背景技術】
【０００２】
従来、透過明視野照明装置と共に透過暗視野照明装置を顕微鏡のベース部に内蔵し、透過明視野照明と透過暗視野照明を切り替えることができる顕微鏡がある。このように両方の照明装置を内蔵している顕微鏡の場合、透過暗視野照明を必要としないユーザーも透過暗視野照明装置を備えている顕微鏡を購入しなければならないという問題がある。一方、透過暗視野照明装置をオプションとしたものもあり、この場合は上記の問題はない。
【０００３】
オプションの透過暗視野照明装置は、例えば円周に沿ってＬＥＤ（Light Emitting Diode）を傾けて配列した光源部を保持部に収め、保持部の上部に設けたガラスプレート上に載置した標本を斜めから照明するものであり、例えば特許文献１に開示されるような実体顕微鏡のベース部の上面（標本の載置面）に設置して使用することができる。
【先行技術文献】
【特許文献】
【０００４】
【特許文献１】特開２００１−１４２００４号公報
【発明の概要】
【発明が解決しようとする課題】
【０００５】
しかしながら、上述のようなオプションの透過暗視野照明装置をベース部の上面に設置した顕微鏡は、透過暗視野照明装置がその厚さ分ベース部の上面から出っ張った形となるため、対物レンズとベース部の標本載置面との間隔が小さくなり、検鏡者が標本を取り扱う際の操作性が損なわれるという問題があった。
【０００６】
本発明は、上記問題に鑑みてなされたものであり、オプションの透過暗視野照明装置を顕微鏡に装着した状態でも、検鏡者が標本を取り扱い易い顕微鏡、透過暗視野照明装置を提供することを目的とする。
【課題を解決するための手段】
【０００７】
上記課題を解決するために、本発明に係る顕微鏡は、標本を観察するための対物レンズと、透過明視野照明装置と、前記透過明視野照明装置の下側または上側に透過暗視野照明装置を装着するための装着機構を有するベース部を備えることを特徴とする。
【０００８】
また、本発明に係る透過暗視野照明装置は、前記顕微鏡に装着可能であることを特徴とする。
【発明の効果】
【０００９】
本発明によれば、オプションの透過暗視野照明装置を顕微鏡に装着した状態でも、検鏡者が標本を取り扱い易い顕微鏡、透過暗視野照明装置を提供することができる。
【図面の簡単な説明】
【００１０】
【図１】透過暗視野照明装置を装着した第１実施形態に係る顕微鏡を示す側面図である。
【図２】第１実施形態に係る顕微鏡に透過暗視野照明装置を装着する様子を示す側面図である。
【図３】第１実施形態に係る顕微鏡に装着した透過暗視野照明装置の暗視野照明用光源部を点灯させた状態を示す側面図である。
【図４】図１におけるＡ−Ａ断面図である。
【図５】図１におけるベース部の外観を示す側面図である。
【図６】透過暗視野照明装置を装着した第２実施形態に係る顕微鏡を示す側面図である。
【図７】第２実施形態に係る顕微鏡に透過暗視野照明装置を装着する様子を示す側面図である。
【図８】第２実施形態に係る顕微鏡に装着した透過暗視野照明装置の暗視野照明用光源部を点灯させた状態を示す側面図である。
【発明を実施するための形態】
【００１１】
以下、本願の実施形態に係る顕微鏡と、これに装着可能な透過暗視野照明装置について図面を参照して説明する。なお、図１から図４、図６から図８では、顕微鏡のベース部と透過暗視野照明装置の構成が断面で示されている。また、図２と図７では、顕微鏡の透過明視野照明装置の明視野照明用光源部を点灯させた状態が示されている。
【００１２】
（第１実施形態）
図１に示すように、第１実施形態の顕微鏡（実体顕微鏡）１は、ベース部３、支柱５、支柱５に取り付けられ、図示しない上下動ハンドルにより上下方向（鉛直方向）に移動させることができる鏡体７、鏡体７の下側に取り付けられた対物レンズ９、鏡体７の上側に取り付けられた鏡筒１１、鏡筒１１に取り付けられた接眼レンズ１３などを有する。また、鏡体７には、鏡体７内部のズーム光学系の構成レンズを光軸方向に移動させるための図示しないズームハンドルが設けられている。
【００１３】
ベース部３の上部には、円形のガラスプレート１５が取り付けられている。ガラスプレート１５の中心は対物レンズ９の光軸に一致している。ガラスプレート１５の上面に図示しない標本が載置される。
【００１４】
図１から図４に示すように、ベース部３の内部には、ガラスプレート１５上の標本に対し透過明視野照明を行うための透過明視野照明装置１７が設けられている。透過明視野照明装置１７は、明視野照明用光源部１９と光学素子２１とを明視野照明用保持部２３により保持したものである。明視野照明用光源部１９は、例えばＬＥＤを用いた薄い面発光型光源部である。光学素子２１は、必要に応じて使用する拡散板やコンデンサレンズなどである。
【００１５】
ベース部３の透過明視野照明装置１７の下側には、オプションの透過暗視野照明装置２５が装着されている。透過暗視野照明装置２５は、円周に沿って複数の白色ＬＥＤ２７を傾けて配列した暗視野照明用光源部２９を暗視野照明用保持部３１に収めたものであり、ガラスプレート１５上の標本に白色ＬＥＤ２７の光を斜めから照射して透過暗視野照明を行う（図３参照）。
【００１６】
ベース部３は、以下に説明するように、透過明視野照明装置１７の下側に透過暗視野照明装置２５を装着するための装着機構を有する。ベース部３の左右の内側面には、前後に真っ直ぐ延びる装着機構である第１ガイド溝３３が形成されている（図２、図４参照）。暗視野照明用保持部３１の左右両側面には、前後に真っ直ぐ延び、第１ガイド溝３３に係合するフランジ３５が形成されている（図４参照）。なお、本明細書中の上下や左右、前後とは、検鏡者から見た方向である。
【００１７】
顕微鏡１のベース部３に透過暗視野照明装置２５を装着するには、検鏡者は、まずベース部３の底に取り付けられている図示しないカバー部材を外す。図２はこのカバー部材を外した状態を表している。次に、図２に示すように、ベース部３の前方（検鏡者側）から矢印の方向に、第１ガイド溝３３にフランジ３５を係合させてスライドさせながら、ちょうど抽斗を閉めるように透過暗視野照明装置２５を差し込む。暗視野照明用保持部３１の前端部３７がベース部３の奥に設けられたストッパ３９に当接するまで、透過暗視野照明装置２５を差し込む。そして、図示しない固定部によってベース部３の底に透過暗視野照明装置２５を固定する。固定部の形態は特に限定されないが、例えばボルトやクランプネジ、板バネなどを用いて固定することができる。
【００１８】
また、ベース部３の底に透過暗視野照明装置２５を装着する時、透過暗視野照明装置２５を電気的に制御するために、例えばベース部３に設けた図示しない基板にコネクタなどにより透過暗視野照明装置２５を接続する。或いは、図示しない外部電源装置を別途用意して、これに透過暗視野照明装置２５を接続してもよい。
【００１９】
透過暗視野照明装置２５を装着した顕微鏡１により透過明視野観察を行う時は、透過暗視野照明装置２５の上側にある透過明視野照明装置１７の明視野照明用光源部１９を点灯させて透過明視野照明を行う（図２参照）。もちろん、オプションの透過暗視野照明装置２５を装着していない状態でも同様に透過明視野照明を行うことができる。
【００２０】
ベース部３は、以下に説明するように、ベース部３に装着した透過暗視野照明装置２５により透過暗視野照明を行う際に、透過明視野照明装置１７を光路外に移動させるための移動機構を有する。図１から図４に示すように、ベース部３の内部には、前後に真っ直ぐ延び、互いに平行な２本のガイド棒４１が設けられている。ガイド棒４１の前後両端は板状の支持部４３に支持されている。図４に示すように、明視野照明用保持部２３は、検鏡者から見て左側にガイド穴４５、右側に第２ガイド溝４７を有する。ガイド穴４５に左側のガイド棒４１が挿通され、第２ガイド溝４７に右側のガイド棒４１が係合している。
【００２１】
図４と図５に示すように、明視野照明用保持部２３の左側面には操作レバー４９が設けられており、ベース部３の左側の側壁には前後に延びる長穴５１が形成されている。操作レバー４９は長穴５１に挿通され、先端部がベース部３の外に出ている。検鏡者は操作レバー４９の先端部を前後に動かすことにより、ガイド棒４１に沿って透過明視野照明装置１７を前後に移動させることができる。
【００２２】
透過暗視野照明装置２５を装着した顕微鏡１により透過暗視野観察を行う時、検鏡者は、図５に示すように操作レバー４９を手前から奥（矢印の方向）へ移動させることで、図３に示すように透過暗視野照明装置２５の上側にある透過明視野照明装置１７を手前から奥（矢印の方向）へ移動させて透過暗視野観察における光路から外す。そして透過暗視野照明装置２５の暗視野照明用光源部２９（白色ＬＥＤ２７）を点灯させて透過暗視野照明を行う（図３参照）。上述の移動機構により透過明視野照明装置１７を光路外に移動させることで、暗視野照明用光源部２９の照明光は妨げられることなくガラスプレート１５上の標本に照射される。
【００２３】
なお、透過暗視野観察状態から再び透過明視野観察を行おうとする時は、暗視野照明用光源部２９を消灯させ、操作レバー４９を手前に引いて透過明視野照明装置１７を元の位置に戻し、明視野照明用光源部１９を点灯させればよい。検鏡者は、透過明視野観察と透過暗視野観察を選択的に行うことができる。
【００２４】
第１実施形態の顕微鏡１によれば、検鏡者は、オプションの透過暗視野照明装置２５を装着した状態でも、透過暗視野照明装置２５が予め内蔵されていたかのような操作感で顕微鏡１を使用することができる。即ち、透過暗視野照明装置２５がベース部３の上面から出っ張ることがなく、検鏡者は透過暗視野照明装置２５の装着後も装着前と同じように標本を容易に取り扱うことができる。
【００２５】
特に第１実施形態の顕微鏡１は、ベース部３の透過明視野照明装置１７の下側にスペースを設け、このスペースに透過暗視野照明装置２５を組込む構成としている。この構成のため、透過明視野照明装置１７の下側に配置される透過暗視野照明装置２５とガラスプレート１５上の標本との距離をとり、両者が接近し過ぎることを防ぐことで、好適な透過暗視野照明条件をとることができ、透過暗視野観察における高い光学性能を得ることができる。
【００２６】
また、オプションの透過暗視野照明装置２５を装着した状態で透過明視野観察を行う場合でも、ベース部の上面に透過暗視野照明装置を設置してその上に標本を載置するような従来技術と異なり、透過明視野照明装置１７の明視野照明用光源部１９と標本との距離が透過暗視野照明装置２５の装着前と変わらないため、透過明視野観察における光学性能が悪化することはない。
【００２７】
また、ベース部３に透過暗視野照明装置２５を装着するスペースを設ける分、ベース部３を全体的に厚くすることで、ベース部３の強度を高めることができる。
【００２８】
（第２実施形態）
第２実施形態の顕微鏡（実体顕微鏡）５３は、ベース部５５の構成のみが第１実施形態と相違する。第１実施形態と同じ部分は図６に同一符号で示し、重複する説明は省略する。
【００２９】
図６から図８に示すように、ベース部５５の内部には、ガラスプレート１５上の標本に対し透過明視野照明を行うための透過明視野照明装置５７が設けられている。透過明視野照明装置５７は、明視野照明用光源部５９と光学素子６１とを明視野照明用保持部６３により保持したものである。明視野照明用光源部５９は、例えばＬＥＤを用いた薄い面発光型光源部である。光学素子６１は、必要に応じて使用する拡散板やコンデンサレンズなどである。
【００３０】
ベース部５５の透過明視野照明装置５７の上側には装着機構であるスペースが設けられ、そこにオプションの透過暗視野照明装置６５が組込まれている。透過暗視野照明装置６５は、円周に沿って複数の白色ＬＥＤ６７を傾けて配列した暗視野照明用光源部６９を有するものであり、透過明視野照明装置５７とガラスプレート１５との間に配置され、ガラスプレート１５上の標本に白色ＬＥＤ６７の光を斜めから照射して透過暗視野照明を行う（図８参照）。透過暗視野照明装置６５は、ベース部５５の内部に設けられた環状の保持部７１に保持されている。
【００３１】
顕微鏡５３のベース部５５に透過暗視野照明装置６５を装着するには、検鏡者は、まずベース部５５の上部に取り付けられているガラスプレート１５を一旦外す。次に、図７に示すように、ベース部５５の上方から矢印の方向に透過暗視野照明装置６５を落し込む。透過暗視野照明装置６５を保持部７１に嵌め込み、図示しない固定部によって透過暗視野照明装置６５を保持部７１に固定する。そしてガラスプレート１５を再び取り付ける。
【００３２】
また、ベース部５５に透過暗視野照明装置６５を装着する時、透過暗視野照明装置６５を電気的に制御するために、例えばベース部５５に設けた図示しない基板にコネクタなどにより透過暗視野照明装置６５を接続する。或いは、図示しない外部電源装置を別途用意して、これに透過暗視野照明装置６５を接続してもよい。
【００３３】
透過暗視野照明装置６５を装着した顕微鏡５３により透過明視野観察を行う時は、透過暗視野照明装置６５の下側にある透過明視野照明装置５７の明視野照明用光源部５９を点灯させて透過明視野照明を行う（図７参照）。もちろん、オプションの透過暗視野照明装置６５を装着していない状態でも同様に透過明視野照明を行うことができる。
【００３４】
透過暗視野照明装置６５を装着した顕微鏡５３により透過暗視野観察を行う時は、透過明視野照明装置５７の上側にある透過暗視野照明装置６５の暗視野照明用光源部６９（白色ＬＥＤ６７）を点灯させて透過暗視野照明を行う（図８参照）。第２実施形態では、透過明視野照明装置５７は透過暗視野照明装置６５の下側にあるので、透過暗視野観察を行う場合でも光路外に移動させる必要はない。なお、透過暗視野照明を行う時に白色ＬＥＤ６７からの光の一部が透過明視野照明装置５７の表面で反射してフレアーになることを防ぐため、透過明視野照明装置５７の上面位置に遮光紙などの反射防止部材を挿入できるようにすることが望ましい。検鏡者は、透過明視野観察と透過暗視野観察を選択的に行うことができる。
【００３５】
第２実施形態の顕微鏡５３によれば、検鏡者は、オプションの透過暗視野照明装置６５を装着した状態でも、透過暗視野照明装置６５が予め内蔵されていたかのような操作感で顕微鏡５３を使用することができる。即ち、透過暗視野照明装置６５がベース部５５の上面から出っ張ることがなく、検鏡者は透過暗視野照明装置６５の装着後も装着前と同じように標本を容易に取り扱うことができる。
【００３６】
また、ベース部５５に透過暗視野照明装置６５を装着するスペースを設ける分、ベース部５５を全体的に厚くすることで、ベース部５５の強度を高めることができる。
【００３７】
第１実施形態のように透過暗視野照明装置を透過明視野照明装置の下側に組込む構成とするか、第２実施形態のように透過暗視野照明装置を透過明視野照明装置の上側に組込む構成とするかは、顕微鏡の光学的諸条件（観察倍率、ＮＡ、照野、必要とされる照明の明るさなど）や使い勝手等を考慮して適切な方を選択する。
【００３８】
なお、上述の実施形態は例に過ぎず、上述の構成に限定されるものではなく、本発明の範囲内において適宜修正、変更が可能である。例えば、透過明視野照明装置の明視野照明用光源部、透過暗視野照明装置の暗視野照明用光源部は上述の方式に限定されるものではない。また、上述の実施形態では透過明視野照明装置はベース部に予め内蔵されているものとしたが、透過明視野照明装置を後からベース部に組込み可能なオプションとしてもよい。また、本願の顕微鏡は実体顕微鏡に限定されるものではなく、ベース部に照明装置が配置される種々の顕微鏡、例えばマクロズーム顕微鏡であってもよい。
【符号の説明】
【００３９】
１，５３      顕微鏡
３，５５      ベース部
９            対物レンズ
１３          接眼レンズ
１７，５７    透過明視野照明装置
１９，５９    明視野照明用光源部
２１，６１    光学素子
２３，６３    明視野照明用保持部
２５，６５    透過暗視野照明装置
２７，６７    白色ＬＥＤ
２９，６９    暗視野照明用光源部
３１          暗視野照明用保持部
３３          第１ガイド溝
３５          フランジ
４１          ガイド棒
４５          ガイド穴
４７          第２ガイド溝
【図１】
2011028108.tif 000003
【図２】
2011028108.tif 000004
【図３】
2011028108.tif 000005
【図４】
2011028108.tif 000006
【図５】
2011028108.tif 000007
【図６】
2011028108.tif 000008
【図７】
2011028108.tif 000009
【図８】
2011028108.tif 000010